(57)【要約】【課題】  複数の変調モード機能を有するマルチモード変調器において、出力される変調波における搬送波漏れ成分を、各変調モードで抑圧し、搬送波抑圧比を最適化することを目的とする。【解決手段】  オフセット調整機能を備えたベースバンド信号生成器を備えることで、各変調モードに応じて、オフセット電圧を可変できる機能を付加する。これによって、変調信号内の搬送波漏れ成分の抑圧比が最適となるオフセット量を各変調モードで設定し、変調モードに対応させることで、搬送波抑圧比を最適化する。【選択図】      図１
2012199892.tif 000002
【特許請求の範囲】
【請求項１】
入力されるベースバンド信号に、ＤＣオフセット電圧を加えて増幅する増幅器と、
上記増幅器にて増幅されたベースバンド信号に基づいて、複数の変調モードの変調波を生成する直交変調器と、
上記ベースバンド信号を生成し、生成したベースバンド信号にオフセット電圧を付加して出力するとともに、当該オフセット電圧を、上記直交変調器の変調モードに応じて切替えるベースバンド信号生成器と、
を備えた変調器。
【発明の詳細な説明】
【技術分野】
【０００１】
この発明は、複数の変調モードを有する変調器に関する。
【背景技術】
【０００２】
直交変調器（例えばＩ／Ｑミキサ）を用いた変調回路においては、ベースバンド信号を搬送波に乗ずる際に、Ｉ／Ｑミキサを使用して高い周波数へ周波数変換することが行なわれる。供給されるベースバンド信号に直流成分が含まれないならば、周波数変換された信号のスペクトラム中には搬送波成分は含まれないはずであるが、実際にはＩ／Ｑミキサ内のダイオードの特性差により、周波数変換された変調波信号のスペクトラム中に搬送波漏れ成分が生じる。
【０００３】
そこで、搬送波抑圧比を最適にするため、ベースバンド信号のＤＣオフセット電圧を、Ｉ／Ｑミキサ内のダイオードのヌル点になるように調整する方法が知られている（例えば、特許文献１参照）。
【先行技術文献】
【特許文献】
【０００４】
【特許文献１】特開平９−６４７８２号公報
【発明の概要】
【発明が解決しようとする課題】
【０００５】
複数の変調モード機能を有するマルチモード変調器の場合、ベースバンド回路での周波数特性により、高速モードと低速モード間でＤＣオフセット電圧値が変動し、Ｉ／Ｑミキサ内のダイオードに印加されるＤＣオフセット電圧値がダイオードのヌル点からずれて、搬送波抑圧比が劣化する。そのため、ベースバンド信号に一定のＤＣオフセット電圧値を与える場合、マルチモード変調器のモードが変化した場合に、搬送波抑圧比を最適値に設定できなくなるという問題があった。
【０００６】
この発明は、係る課題を解決するためになされたものであり、複数の変調モードを有する変調器のモード変化に応じて、搬送波抑圧比を最適化することを目的とする。
【課題を解決するための手段】
【０００７】
この発明による変調器は、入力されるベースバンド信号に、ＤＣオフセット電圧を加えて増幅する増幅器と、上記増幅器にて増幅されたベースバンド信号に基づいて、複数の変調モードの変調波を生成する直交変調器と、上記ベースバンド信号を生成し、生成したベースバンド信号にオフセット電圧を付加して出力するとともに、当該オフセット電圧を、上記直交変調器の変調モードに応じて切替えるベースバンド信号生成器と、を備えたものである。
【発明の効果】
【０００８】
この発明によれば、複数の変調モードを有する変調器において、各モードでより最適な搬送波抑圧比を得ることが可能となる。
【図面の簡単な説明】
【０００９】
【図１】実施の形態１による変調器の構成を示す図である。
【発明を実施するための形態】
【００１０】
図１は、この発明に係る実施の形態１による変調器の構成を示す図である。実施の形態１の変調器は、ベースバンド信号生成器１と、Ｄ／Ａコンバータ２，５と、オペアンプ３，６と、低域通過フィルタ（以下、ＬＰＦ）４，７と、局部発振（ＬＯ）信号が入力され直交変調を行う直交変調器（以下、Ｉ／Ｑミキサ）８と、ＤＣオフセット粗調整部２１，２２と、モード間偏差調整部３１，３２，３３，３４を備えて構成される。実施の形態１の変調器は、例えば高速モードと低速モードなどの複数の変調モードを有したマルチモード変調器を構成する。
【００１１】
ベースバンド信号生成器１は、ＬＳＩ（Large Scale Integration）回路もしくはＰＬＤ（Programmable Logic Device）回路を主に使用して構成され、ＩｃｈおよびＱｃｈベースバンド信号を生成する。また、生成したベースバンド信号にオフセット電圧値を付加できる機能があり、当該オフセット電圧値は変調モードごとに設定可能である。図１のベースバンド信号生成器１は、加算器１０，１１と、オフセット電圧生成部１２，１３，１４，１５と、スイッチ１６，１７を備えている。オフセット電圧生成部１２，１３はスイッチ１６に接続されている。スイッチ１６とベースバンド生成部５０は、加算器１０に接続される。スイッチ１７とベースバンド生成部５０は、加算器１１に接続される。モード間偏差調整部３１，３２，３３，３４は、それぞれオフセット電圧生成部１２，１３，１４，１５に接続される。
【００１２】
オフセット電圧生成部１２，１３，１４，１５は、それぞれモード間偏差調整部３１，３２，３３，３４の設定電圧に従い、オフセット電圧値を発生する。スイッチ１６は、何れか一方のオフセット電圧生成部１２，１３に接続されるように、接続を切替える。オフセット電圧生成部１４，１５は、スイッチ１７に接続されている。スイッチ１７は、何れか一方のオフセット電圧生成部１４，１５に接続されるように、接続を切替える。加算器１０は、スイッチ１６を介してオフセット電圧生成部１２，１３の何れか一方から出力されるオフセット電圧値を、ベースバンド信号生成部５０の出力信号に加算する。加算器１１は、スイッチ１７を介してオフセット電圧生成部１４，１５の何れか一方から出力されるオフセット電圧値を、ベースバンド信号生成部５０の出力信号に加算する。
【００１３】
Ｄ／Ａコンバータ２は、ベースバンド信号生成器１より出力される、オフセット電圧値の加算されたＩｃｈベースバンド信号のディジタル信号を、Ｄ／Ａ変換する。Ｄ／Ａコンバータ５は、ベースバンド信号生成器１より出力される、オフセット電圧値の加算されたＱｃｈベースバンド信号のディジタル信号を、Ｄ／Ａ変換する。
【００１４】
オペアンプ３，６は、Ｄ／Ａコンバータ２，５にてアナログ信号に変換されたそれぞれのベースバンド信号を、所望の振幅に増幅し、ＤＣオフセット電圧を付加する。ＤＣオフセット粗調整部２１，２２は、オペアンプ３，６の入力段に接続されて、オペアンプ３，６に付加する上記ＤＣオフセット電圧を調整する。
【００１５】
ＬＰＦ４，７は、オペアンプ３，６の出力電圧について、Ｄ／Ａコンバータ２、５の折り返し成分を除去する。すなわち、ＬＰＦ４はオペアンプ３より出力されたＩｃｈベースバンド信号を低損失で通過し、Ｄ／Ａコンバータ２に供給するクロック周波数近傍に発生する折り返し成分を抑圧する。また、ＬＰＦ７はオペアンプ６より出力されたＱｃｈベースバンド信号を低損失で通過し、Ｄ／Ａコンバータ６に供給するクロック周波数近傍に発生する折り返し成分を抑圧する。
【００１６】
Ｉ／Ｑミキサ８は、ＬＰＦ４から出力されたＩｃｈベースバンド信号と、ＬＰＦ７から出力されたＱｃｈベースバンド信号を、それぞれ局部発振（ＬＯ）信号と振幅・位相変調し、９０度位相差で合成した後、変調信号として出力する。Ｉ／Ｑミキサ８は、例えばアンチパラレルダイオードペア等のダイオードを備えて構成される。
【００１７】
次に、実施の形態１による変調器の動作について説明する。
実施の形態１の変調器は、外部からの制御指令または内部発生する制御指令に従い、複数の変調モードを切替える。
ベースバンド信号発生器１は、変調モードの切り替えに応じて、当該切り替わったモードに従い、ベースバンド信号生成部５０にて生成されたベースバンドのディジタル信号を出力する。また、オペアンプ３，６からＩ／Ｑミキサ８へ入力されるベースバンド信号のＤＣオフセット電圧量が、ダイオードのヌル点に相当するように、ＤＣオフセット粗調整部２１，２２にて当該ＤＣオフセット電圧量の粗調整を行うとともに、ベースバンド信号生成器１（オフセット電圧生成部１２，１３，１４，１５）にて当該ＤＣオフセット電圧量を与えるオフセット電圧値の微調整を行う。
【００１８】
ベースバンド信号生成器１により設定されるオフセット電圧量（オフセット電圧値）は、モード間偏差調整部３１，３２，３３，３４間にて、それぞれ可変することができる。各モード間偏差調整部３１，３２，３３，３４は、変調モードの切り替えに応じて、ベースバンド信号生成器１から各変調モードに対応した最適なオフセット電圧値が出力されるように、オフセット電圧値を可変する。
【００１９】
図１の例では、例えば高速モードの場合に、外部からの制御指令または内部発生する制御指令に従い、スイッチ１６をオフセット電圧生成部１２の出力段に接続し、低速モードの場合にスイッチ１６をオフセット電圧生成部１３の出力段に接続するように、接続の切り替えを行う。同時に、高速モードの場合に、外部からの制御指令または内部発生する制御指令に従い、スイッチ１７をオフセット電圧生成部１４の出力段に接続し、低速モードの場合にスイッチ１６をオフセット電圧生成部１５の出力段に接続するように、接続の切り替えを行う。
【００２０】
かくして、ベースバンド信号生成器１から出力されるベースバンド信号のオフセット電圧値を可変することで、Ｉ／Ｑミキサ８へ入力されるベースバンド信号のＤＣオフセット電圧量を最適なオフセット量にすることができる。また、これにより、いかなる変調モードにおいても、Ｉ／Ｑミキサ８へ入力されるベースバンド信号のＤＣオフセット電圧量をダイオードのヌル点に設定することができるので、搬送波漏れ成分を抑制し、変調器の搬送波抑圧比を最適化することができる。
【００２１】
以上説明した通り、実施の形態１による変調器は、入力されるベースバンド信号に、ＤＣオフセット電圧を加えて増幅する増幅器と、上記増幅器にて増幅されたベースバンド信号に基づいて、複数の変調モードの変調波を生成する直交変調器と、上記ベースバンド信号を生成し、生成したベースバンド信号にオフセット電圧を付加して出力するとともに、当該オフセット電圧を、上記直交変調器の変調モードに応じて切替えるベースバンド信号生成器と、を備えたことを特徴とする。
【００２２】
これによって、複数の変調モードを有する変調器において、各モードでより最適な搬送波抑圧比を得ることが可能となる。
【符号の説明】
【００２３】
１  ベースバンド信号生成器、Ｄ／Ａコンバータ、３，６  オペアンプ、４，７  低域通過フィルタ（ＬＰＦ）、８  直交変調器（Ｉ／Ｑミキサ）、１２，１３，１４，１５  オフセット電圧生成部、２１，２２  ＤＣオフセット粗調整部、３１，３２，３３，３４  モード間偏差調整部。
【図１】
2012199892.tif 000003